(57)【要約】      （修正有）【課題】レンズの大型化に従ってレンズ本体の重量の増加と重心の変化とにより三脚で安定的に固定して、且つ、撮影姿勢を整えて撮影をすることが容易ではなかった。【解決手段】内焦式大型ズームレンズの鏡筒において、外筒となる固定筒後部にカメラ結合マウント１２を有した鏡筒２を連設し、この後部の鏡筒２を回転自在にするレボルビング機構を設置し、撮影姿勢において装着したカメラを回転移動させることによって縦位置撮影と横位置撮影を容易にした。【選択図】図３
2009145510.tif 000002
【特許請求の範囲】
【請求項１】
光軸方向に複数の口径の大きいレンズ群を配設してなる交換レンズにおいて、両端に固定レンズ群を配設し、中間にズーミング用移動レンズ群とフォーカシング用移動レンズ群とを配設する内焦式大型ズームレンズのレンズ鏡筒であって、先端に配設する前記固定レンズ群と前記ズーミング用移動レンズ群と前記フォーカシング用移動レンズ群、及び後部固定レンズ群の一部とで構成する前記レンズ鏡筒の外筒を固定筒とし、該固定筒に連設するレンズ鏡筒は前記後部固定レンズ群の残りの一部で構成する前記レンズ鏡筒であり、該レンズ鏡筒の後端部はカメラ結合のマウントが固設されていて、光軸を中心として回転自在な構造であることを特徴とするレンズ鏡筒。
【請求項２】
前記固定筒の後部に連設する前記レンズ鏡筒は該固定筒の後部の後部端筒の内側に回転筒が回動可能に遊嵌した後、押さえリングによって該回転筒を前記固定筒の後部の前記後部端筒に封着し、後方からネジによって前記回転筒に結合せしめて回転可能にした機構を特徴とする請求項１記載のレンズ鏡筒。
【請求項３】
前記レンズ鏡筒は回転可能であり、任意の回転角度で固定できると共に９０°回転位置にクリックストップを有しカメラの縦及び横位置撮影の設定を容易にしたことを特徴とする請求項１又は２記載のレンズ鏡筒。
【発明の詳細な説明】
【技術分野】
【０００１】
装着カメラの縦位置撮影、横位置撮影における大型レンズのレボルビング機構を有する鏡筒に関する。
【背景技術】
【０００２】
一眼レフのようなシステムカメラにおいて、多様化された交換レンズが続々登場し、従来にない撮影範囲が拡大してきているが、さらなるユーザーの要望として、より長い焦点距離と共により明るいレンズが求められている。
【０００３】
しかし、望遠側への拡大と共にレンズ鏡筒が光軸方向に長大し、レンズの明るさに伴いレンズ径が増大することは理の通りで、レンズ本体が容積、重量共に大きくなり、装着するカメラの重量を遥かに超えることは珍しくない。このためこの種のレンズを装着した場合にはレンズを保持して撮影することになるが、これも手持ちで保持することは容易ではなく、ほとんどレンズ鏡筒を三脚等に固定して撮影するのが一般的である。
【０００４】
この場合の撮影はレンズ鏡筒の三脚ネジに三脚を固定する方法を採るが、カメラ撮影の縦位置、横位置の姿勢を変えるには三脚の固定装置を縦位置に変換する必要があるが、この変換のため、重心が移動し、不安定になることが避けられなかった。
【０００５】
このため特許文献１に示すように鏡筒に嵌合し、光軸を中心に回転可能な三脚ネジ設置のリングを回転させることにより縦位置撮影姿勢、横位置撮影姿勢を変えることが可能な鏡筒を提案している。また特許文献２では大型のレンズ鏡筒に対して三脚座を有する保持装置を外付け可能にして、その装置の回転によって撮影姿勢が可変できるようにしている。
【０００６】
しかしこれらの装置は三脚座の位置が鏡筒の操作リングや繰り出し位置を避けなければならず、必ずしもレンズ鏡筒の重心位置には設置できない欠点を有していたし、さらに重量の大きいレンズに対しては保持強度に不安があった。
【特許文献１】特開平１１−３３７８００号公報
【特許文献２】特開２００５−２１５２１７号公報
【発明の開示】
【発明が解決しようとする課題】
【０００７】
大型レンズ鏡筒を安定的に三脚に固定でき、撮影者の撮影意図に従い迅速且つ、容易な操作によって縦位置撮影と横位置撮影とが可能なレンズ鏡筒を提供する。
【課題を解決するための手段】
【０００８】
内焦式大型ズームレンズ鏡筒において、外筒となる固定筒後部にカメラ結合マウントを有した鏡筒を連設し、この後部の鏡筒を回転自在にするレボルビング機構を設置し、撮影姿勢において、縦位置と横位置の９０度開角位置にクリックストップを設け、装着するカメラごとクリックストップ位置に回転移動させることによって縦位置撮影と横位置撮影とを容易にした。
【発明の効果】
【０００９】
三脚で固定した重量のあるレンズ鏡筒であっても、レンズの眺望する姿勢を変えることなく縦位置撮影及び横位置撮影が任意に切り換え可能となる。      
【発明を実施するための最良の形態】
【００１０】
以下、図面等を参照して本発明を実施するための最も良好な形態を説明する。図1は本発明の大型レンズ鏡筒にカメラを装着した状態の外観斜視図で、図２は固定された鏡筒に対してカメラが縦横可変のレボルビング状態を示す背面図で、図３はレボルビング機構を示す後部鏡筒の解体斜視図で、図４はその横断面図を示している。図において同じ部材は同じ符号で示す。
【００１１】
図１に示す大型レンズ鏡筒は光軸Ｌに沿って複数のレンズ群を配列してそれぞれに保持する複数の鏡枠を重ねて構成していて、大きく分けて外筒である固定筒１と後部に連結して一段外径の小さい後部鏡筒２の二つに分かれている。    固定筒１は先頭に不図示の固定レンズ群を置き、その後にズーミング用移動レンズ群及びフォーカシング用移動レンズ群を移動可能な機構と伴に配設し、その後に後部固定レンズの一部である固定レンズ群３を固設した鏡筒であって、後部鏡筒２には図４に示すように後部固定レンズ群のうちで残りの固定レンズ群４と固定レンズ群５を一定間隔に確保して保持した構成となっている。    
【００１２】
図４は光軸Ｌに沿って複数個のレンズ群を配列してなる大型レンズ鏡筒後部の断面図であるが、斜線で塗りつぶした部分が後部鏡筒２の部分で、後端部にカメラ結合マウント１２が固設されていて、図１に示すようにカメラ２０を装着することが出来る。図４は後部鏡筒２が固定筒1に対して連結する構造を示していて、この部分の分解図である図３と合わせて説明すると、固定筒1の内部から後ろ側に伸びている後部端筒６があり、この後部端筒6の内側６ａに回転筒7が嵌挿でき、光軸Ｌを中心に回動可能な遊嵌状態にある。
【００１３】
固定筒1の後部端筒６の内側の回転受け部６ａと段部６ｃの間に回転筒7を挿入し、押さえリング８によって後部端筒6の環状表面６ｂに被せ、この環状表面６ｂに押さえリング8の光軸Ｌの垂直面８ａの周囲に複数個ある穴８ｄを通してネジで固定すれば回転筒７は固定筒1の後部端筒６の内側に封着した形で、ガタ無く回転可能に構設できる。
【００１４】
固定筒１の後部端筒６の内側に構設した回転筒７は光軸Ｌに垂直な面７ａと段違いな面７ｂとがあって、７ａは押さえリング８の裏面に接して押さえられ、７ｂは押さえリング８の内側開口部から後部に僅少突出した形になる。回転筒７の垂直面７ａには１個の深い穴７ｃが在り、この穴７ｃにコイルバネ9とスチールボール１０を埋入させると、コイルバネ９によってスチールボール１０は押さえリング８の裏面を圧接することになる。押さえリング８の圧接面にはお互い９０°間隔を保って穴８ｂと８ｃが在るため、回転筒７を回動させるとそれぞれの９０°間隔位置でスチールボール１０がその穴に飛び込み、クリックストップの効果となる。
【００１５】
次に後部鏡筒２を固定筒１の後部端筒６に被せる形で組み込むが、後部鏡筒の内側の穴２ａから不図示のネジによって回転筒７の内側の面７ｂのネジ穴７ｄに固定でき、後部鏡筒２は回転筒７に結合させることが可能となる。これは後部鏡筒２が固定筒１の後部に連設した形態となり、しかも固定筒１に対して回転筒７を通して回転自在となる。
【００１６】
後部鏡筒２の後方から絞り機構及び回路ユニット１１を挿入固定し、マウント１２が固設してある後部枠１３を不図示のネジによって取り付け穴１３ａと後部鏡筒２の後端垂直面２ｂのネジ穴２ｃを通して後部鏡筒２に固定すれば後部鏡筒２の固定筒に連設する組立が完成する。さらに後方より図４に示すバックカバー１５を取り付け、後部枠１３を覆えば外装が完了する。
【００１７】
固定筒1の三脚座１ａに三脚を取り付けて、後部鏡筒２の後端部にあるマウント１２にカメラ２０を装着した状態のとき、回転筒７のスチールボール１０が押さえリング８の穴８ｃに飛び込むクリックストップ位置が図２のＡに示すカメラの横位置撮影姿勢であり、後部鏡筒２をカメラごと左方向に９０°回転させると、回転筒７のスチールボール１０が移動して押さえリング８の穴８ｂに飛び込むクリックストップ位置がＢに示すカメラの縦位置撮影姿勢となる。このように後部鏡筒２は固定筒1に対して回転自在な構造にあるため、カメラを任意な角度に回転できるが、クリックストップ位置が感覚的に認識できるため、撮影者は正確な縦位置撮影、横位置撮影の迅速且つ容易な設定が可能となる。
【００１８】
また後部鏡筒２にはロックノブ１４が付設されていて、図４で判るように固定筒1に後部鏡筒２を連設した状態では押さえリング８の外周帯８ｅがロックノブ１４の真下に来るようになっている。このロックノブ１４はネジ状になっていてこれを右回しすれば先端部が降下し、押さえリング８の外周帯８ｅを押さえ込み、後部鏡筒2の回転をロックすることが可能となり、ロックノブ１４の左回しで、ロック解除ができるようになっている。このためカメラ２０をクリックストップ位置のみならず任意の回転角度位置に固定して撮影が可能となっている。
【図面の簡単な説明】
【００１９】
【図１】本発明の大型レンズ鏡筒にカメラを装着した状態の外観斜視図である。
【図２】カメラを縦横撮影位置に可変可能なレボルビング状態を示す図である。
【図３】レボルビング機構を示す固定筒後部と後部鏡筒の解体斜視図である。
【図４】固定筒後部と後部鏡筒の横断面図である。
【符号の説明】
【００２０】
１．            
固定筒
２．            
後部鏡筒
３．            
固定レンズ群
４．            
固定レンズ群
５．            
固定レンズ群
６．            
後部端筒
７．            
回転筒
８．            
押さえリング
９．            
コイルバネ  
１０．     スチールボール
１１．     絞り機構及び回路ユニット
１２．     マウント
１３．     後部枠
１４．     ロックノブ  
２０．  カメラ
【図１】
2009145510.tif 000003
【図２】
2009145510.tif 000004
【図３】
2009145510.tif 000005
【図４】
2009145510.tif 000006